(57)【要約】【課題】フロアの振動を効率的に吸収し、揺れがビル全体又は近隣のビルに及ぶことを防止することができる防振フロアを提供する。【解決手段】固定床１２の上に、空気又はガスが封入された緩衝層１１が載置され、緩衝層１１の上に浮床１０が浮遊するように配置される。空気圧縮機１９から緩衝層１１内に空気又はガスが供給される。また、ダンパー１８により、緩衝層１１内の過剰な空気が抜かれ、緩衝層１１内の空気圧の大きな変動が防止される。高さセンサが浮床１０の高さを検出し、この高さセンサが検出した浮床の高さ検出値に基づき、浮床の高さが調節される。【選択図】図１
0003188945.tif 000002
【実用新案登録請求の範囲】
【請求項１】
固定床と、
この固定床の上に載置され、空気又はガスが封入された緩衝層と、
この緩衝層の上に載置され、前記緩衝層上に浮遊した浮床と、
前記緩衝層内に空気又はガスを供給する気体源と、
を有することを特徴とする防振フロア。
【請求項２】
前記緩衝層内に連通し、前記緩衝層内の空気又はガスの圧力の過剰な増大を防止するダンパーと、
前記浮床の高さを検出する高さセンサと、
この高さセンサが検出した浮床の高さ検出値に基づき、前記浮床の高さを調節するために、前記緩衝層の内部の空気又はガスの量を調整する制御部と、
を有することを特徴とする請求項１に記載の防振フロア。
【考案の詳細な説明】
【技術分野】
【０００１】
本考案は、ダンスホール、コンサートホール及びライブハウス等の大勢の人が集まるホールに関し、特に、ダンス及びコンサートの際に、大勢の人が飛び跳ねたり、活発な活動を行うホールのフロアの振動を防止した防振フロアに関する。
【背景技術】
【０００２】
コンサートホールにおいて、特に、若者が集まるライブコンサートにおいては、若者が音楽に合わせて、ホールで飛び跳ねたり、大きな身体的活動をする場合が多い。ダンスホール等においても同様に、ダンスの内容によっては、ホールで大勢の人が動き回ることがある。
【０００３】
このような場合、ホールのみの専用の施設であれば、そのホールに集まった大勢の人が飛び跳ねても問題が生じないが、例えば、ビルの上方の階に、ホールを建築したような場合、即ち、複合ビルの一部にホールを建築したような場合には、そのホールで開催されたコンサートで、ホール内の大多数の観客が飛び跳ねたときに、そのフロアの振動がそのビルの他の階のフロアにも伝達され、他のフロアのテナントにとって、迷惑になる場合がある。この振動が規則的な場合には、振動がビル全体で共振し、ビルの全体が大きく揺れることがある。極端な場合には、このビルの揺れが、近傍のビルに伝達され、近傍のビルも揺れることがある。このような振動を防止するために、防振工法が提案されている（特許文献１）。
【先行技術文献】
【特許文献】
【０００４】
【特許文献１】特開２００６−１６１３８８号公報
【考案の概要】
【考案が解決しようとする課題】
【０００５】
しかしながら、この特許文献１に記載の従来技術は、防振のための装置が複雑化するという問題点がある。
【０００６】
本考案はかかる問題点に鑑みてなされたものであって、フロアの振動を効率的に吸収し、揺れがビル全体又は近隣のビルに及ぶことを防止することができる防振フロアを提供することを目的とする。
【課題を解決するための手段】
【０００７】
本考案に係る防振フロアは、
固定床と、
この固定床の上に載置され、空気又はガスが封入された緩衝層と、
この緩衝層の上に載置され、前記緩衝層上に浮遊した浮床と、
前記緩衝層内に空気又はガスを供給する気体源と、
を有することを特徴とする。
【０００８】
この防振フロアにおいて、例えば、
前記緩衝層内に連通し、前記緩衝層内の空気又はガスの圧力の過剰な増大を防止するダンパーと、
前記浮床の高さを検出する高さセンサと、
この高さセンサが検出した浮床の高さ検出値に基づき、前記浮床の高さを調節するために、前記緩衝層の内部の空気又はガスの量を調整する制御部と、
を有するように構成することができる。
【考案の効果】
【０００９】
本考案によれば、固定床の上に、緩衝層を介して、浮床を設置し、この浮床を、緩衝層内の気体の圧力により、固定床に対して浮上させる。この場合に、前記緩衝層は、その面で前記浮床を支持するので、複数個のクッション性部材により複数箇所で浮床を局部的に支持する場合に比して、フロアの振動を効率的に吸収し、揺れの発生を防止することができる。
【図面の簡単な説明】
【００１０】
【図１】本考案の原理を示す正面模式図である。
【図２】パスカルの原理を示す図である。
【図３】図１の比較例を示す図である。
【図４】本考案の実施形態のライブハウスのフロアを示す平面図である。
【図５】本考案の実施形態のライブハウスのフロアの縁部を示す正面断面図である。
【考案を実施するための形態】
【００１１】
以下、添付の図面を参照して、本考案の実施形態について説明する。図１は本考案の原理を示す正面模式図、図２はパスカルの原理を示す図、図３は比較例を示す図、図４はライブハウスの内部の平面図、図５はフロアの縁部を示す縦断面図である。図４に示すように、通常、ライブハウスには、演奏家が演奏するための舞台１と、観客が演奏を聴くホール２とが設けられ、夫々、ドアを介して入場・退場することができるようになっている。
【００１２】
舞台１は、ビルのフロアの基部に固定されているが、ホール２は、図１及び図５に示すように、この基部上に浮遊している。図１に示すように、ホール２は、フロアの基部に固定された固定床１２と、この固定床１２上に載置された緩衝層１１と、この緩衝層１１上に載置された浮床とから構成される。固定床１２は、そのホール２の主要な部分を占める部分であり、この固定床１２の縁部から側壁１４が立ち上がり、この側壁１４の上端から外方に、固定床１２の外縁部１３が延びている。従って、固定床１２は、プールのように凹状にくぼんでおり、この凹部内に緩衝層１１及び浮床１０が配置されるようになっている。
【００１３】
図５に示すように、ホール２のデッキスラブ２０が、支柱２１により支持されており、このデッキスラブ２０により、本実施形態の固定床１２が支持されている。また、固定床１２の上に、緩衝層１１が配置され、緩衝層１１の上に、浮床１０が配置されている。そして、これらの浮床１０，緩衝層１１及び固定床１２からなるホール２の周辺部に、デッキスラブ２０から立ち上がる側壁１４と、この側壁１４の上に水平方向に延びる外縁部１３が形成されている。これらの側壁１４と外縁部１３は、デッキスラブ２０と共に、コンクリートで構成されており、デッキスラブ２０と外縁部１３との間には、ウレタンフォーム２２が配置されている。
【００１４】
固定床１２及び浮床１０の材質は、任意のものを使用することができるが、コンクリート又は鋼板で構成することができる。そして、浮床１０の側面２５と、固定床１２の側面２６とには、例えば、厚さが５ｍｍ程度の塩化ビニールシート１５が重ねられ、これらの浮床１０及び固定床１２の周囲をシート１５が取り囲むようになっている。シート１５は、夫々ボルト１６，１７により、浮床１０及び固定床１２の各側面２５，２６に固定されている。これにより、浮床１０と固定床１２との間の間隙が、シート１５により空気等の気体を封入することができる封入空間になっており、緩衝層１１を構成している。
【００１５】
側壁１４における浮床１０に対向する面には、高さセンサ３が設置されており、高さセンサ３により、浮床１０の位置（デッキスラブ２０からの高さ）を検出するようになっている。この高さセンサ３の検出信号は、制御部（図示せず）に送信される。
【００１６】
図１に示すように、緩衝層１１には、固定床１２を貫通する配管２３を介して、空気圧縮機１９が連通するように設置されており、更に、同様に配管２４を介して、ダンパー１８が緩衝層１１に連通するように設置されている。空気圧縮機１９は、１気圧よりも高圧（例えば、１．１気圧）に圧縮した空気を緩衝層１１内に供給する。ダンパー１８は緩衝層１１内の空気圧が、所定の設定気圧よりも大きくなった場合に、緩衝層１１内の空気を逃がして、緩衝層１１内の空気圧を所定の設定気圧に維持する。
【００１７】
次に、上述のごとく構成された防振フロアの動作について説明する。図５に示すように、例えば、塩化ビニル製のシートにより、固定床１２と浮床１０との間に気体（例えば，空気）の封密空間が形成されており、この気体封密空間が緩衝層１１となって、浮床１０を浮かせる。このときの緩衝層１１内の空気圧力は１．１気圧程度で足りる。図２はパスカルの原理を示す模式図であるが、圧力が同一であっても、作用する面積が大きい方が、その物体に作用する力は、作用する面積が小さい物体に作用する力よりも、極めて大きくなる。このため、この広大なフロアを示す浮床１０を、人が口で吹く程度の小さな力で、浮上させることができる。例えば、浮床１０の重量が、単位面積当たり、５００ｋｇ／ｍ２であるとする。また、この浮床１０の上に、観客がのり、一人あたり、０．２ｍ２／人の面積を占めたとする。一人あたりの体重が８０ｋｇであるとすると、収容された観客が、静止しているだけで、４００ｋｇ／ｍ２の荷重が浮床１０にかかる。一方、ライブハウスにおける観客のジャンプ等が起きると、４００ｋｇ／ｍ２の静止荷重に対し、６００ｋｇ／ｍ２の可動荷重が発生する。このため、浮床１０上の観客の動的な荷重は、４００＋６００＝１０００ｋｇ／ｍ２の荷重が浮床１０に印加されることになる。浮床１０の重量が５００ｋｇ／ｍ２であるから、合計すると、１．５トン／ｍ２の荷重が緩衝層１１に印加される。このように、緩衝層１１には、浮床１０から１．５トン／ｍ２の圧力が印加されるが、この圧力に対して、緩衝層１１の内部の空気の圧力は、大気圧が１気圧の場合、１．０７気圧程度で十分である。即ち、周囲の圧力よりも、０．１気圧程度増加させることにより、緩衝層１１は浮床１０を十分に浮かせることができる。
【００１８】
このようにして、浮床１０を空気圧で浮かせておくと、ライブハウスのコンサートで、観客が浮床１０上に飛び跳ねたとき、その振動は、緩衝層１１で吸収される。又は、緩衝層１１を介して大きな面で一律に飛び跳ねの荷重を受けることによって、単位面積あたりの固定床１２に印加される荷重が小さくなる。これらによって、飛び跳ねの荷重は、緩衝層１１の下層の固定床１２及びデッキスラブ２０には、伝達されないか、又は極めて僅かの振動しか伝わらない。よって、ビルの他の階のテナント及び近隣のビルにおいて、大きな揺れが発生することはない。また、ダンパー１８により、振動が共振することもない。
【００１９】
また、この観客の圧力により、浮床１０及び固定床１２は、図１に破線にて示すように、若干たわむことが考えられるが、本実施形態では、緩衝層１１により、面で、この観客の圧力を支持しているので、このたわみは極めて小さい。これに対し、図３に示すように、複数箇所でクッション性支承材３０により、局所的に、浮床１０に作用する観客の圧力を支持しようとすると、浮床１０及び固定床１２は、図３に破線にて示すように、大きくたわんでしまう。
【００２０】
観客の飛びはねにより、過剰な圧力が緩衝層１１に印加された場合には、ダンパー１８にて、その圧力が逃がされ，シート１５と浮床１０及び固定床１２との間のシール性が劣化することはない。逆に、緩衝層１１内の空気圧が、所定の圧力より低下し、高さセンサ３が浮床１０の低下を検知した場合には、制御部の制御により、空気圧縮機１９から圧縮空気が緩衝層１１に供給されて、緩衝層１１の圧力が所定値に維持され、浮床１０の高さが所定位置に維持される。
【００２１】
このようにして、ビルの中に、ライブハウス、コンサートホール、ダンスホールを建築しても、多数の人の運動により、振動又は揺れが生じることが防止される。
【産業上の利用可能性】
【００２２】
本考案により、フロアの振動が防止され、特に都会のビルのような密集地にも、ライブハウス等の振動が生じやすい施設を建築することができる。
【符号の説明】
【００２３】
２：フロア
１０：浮床
１１：緩衝層
１２固定床
【図１】
0003188945.tif 000003
【図２】
0003188945.tif 000004
【図３】
0003188945.tif 000005
【図４】
0003188945.tif 000006
【図５】
0003188945.tif 000007